(57)【特許請求の範囲】
【請求項１】
湯水を貯湯する貯湯タンクと、前記貯湯タンク内の湯水を加熱するヒートポンプユニットと、前記貯湯タンク内へ市水を給水する給水管と、前記貯湯タンク下部と前記ヒートポンプユニットを配管で接続するヒーポン往き管と、前記ヒートポンプユニットと前記貯湯タンク上部を配管で接続するヒーポン戻り管と、前記給水管から分岐し前記ヒーポン戻り管途中に連通されたバイパス管と、前記ヒーポン戻り管途中の前記バイパス管との連通箇所に設置され湯水の流路を前記ヒーポン戻り管と前記バイパス管方向とに切り替える切替弁と、前記給水管の前記バイパス管分岐部分よりも下流側に位置し前記給水管から前記貯湯タンク内へ給水する流路を遮断し前記給水管を前記ヒーポン往き管に連通させる流路切替手段とを備えたことを特徴とするヒートポンプ式給湯機。
【請求項２】
前記貯湯タンクの試運転時に、試運転動作指示を検知したら前記流路切替手段によって前記給水管と前記ヒーポン往き管とを連通させ、給水が前記給水管、前記ヒーポン往き管、前記ヒーポン戻り管を流通して前記貯湯タンク内に流入する流路を形成し、その後に、再度前記試運転動作指示を検知したら前記切替弁を前記ヒーポン戻り管と前記バイパス管とを連通させる流路に切り替えるようにしたことを特徴とする請求項１記載のヒートポンプ式給湯機。
【請求項３】
前記貯湯タンクの試運転時に、試運転動作指示を検知したら前記流路切替手段によって前記給水管と前記ヒーポン往き管とを連通させ、給水が前記給水管、前記ヒーポン往き管、前記ヒーポン戻り管を流通して前記貯湯タンク内に流入する流路を形成し、前記貯湯タンク内への給水開始から一定時間経過したら、前記切替弁を前記ヒーポン戻り管と前記バイパス管とを連通させる流路に切り替えるようにしたことを特徴とする請求項１記載のヒートポンプ式給湯機。
【請求項４】
試運転動作終了指示を検知したら前記流路切替手段によって前記給水管から前記貯湯タンク内へ連通する流路を形成するようにしたことを特徴とする前記請求項２又は３記載のヒートポンプ式給湯機。
【請求項５】
前記流路切替手段を手動の四方弁により構成し、前記貯湯タンクの試運転時に、試運転動作指示を検知したら前記切替弁を前記ヒーポン戻り管とバイパス管とを連通する流路に切り替えるようにしたことを特徴とする請求項１記載のヒートポンプ式給湯機。
【請求項６】
前記流路切替手段を手動の四方弁により構成し、前記貯湯タンクの試運転時に、試運転動作指示を検知し前記貯湯タンク内への給水を開始したら時間カウントを開始し、一定時間をカウントしたら、前記切替弁を前記ヒーポン戻り管と前記バイパス管とを連通する流路に切り替えるようにしたことを特徴とする請求項１記載のヒートポンプ式給湯機。
【発明の詳細な説明】
【技術分野】
【０００１】
この発明は、ヒートポンプユニットで湯水を加熱し貯湯タンク内に貯湯するヒートポンプ式給湯機について、特に試運転時の制御に関するものである。
【背景技術】
【０００２】
従来のヒートポンプ式給湯機について図１３に基づいて説明する。
湯水を貯湯する貯湯タンク１０１と、該貯湯タンク１０１に接続される配管や制御部等を含めて筐体内部に収める貯湯タンクユニット１０２と、貯湯タンク１０１下部と接続され市水を給水する給水管１０３と、貯湯タンク１０１内の湯水を加熱する加熱手段としてのヒートポンプユニット１０４と、貯湯タンク１０１下部とヒートポンプユニット１０４を配管で接続するヒーポン往き管１０５と、ヒートポンプユニット１０４と貯湯タンク１０１上部とを接続するヒーポン戻り管１０６と、ヒーポン戻り管１０６途中にあり給水管１０３から分岐したバイパス管１０７と一端が接続された戻し切替弁１０８と、貯湯タンク１０１内の圧力を調節する逃し弁１０９と、貯湯タンク１０１内の湯水を出湯する出湯管１１０と、給水管１０３から分岐した給湯バイパス管１１１と出湯管１１０内の湯水を混合し所定の温度に調節する給湯混合弁１１２と、風呂設定温度になるよう給水管１０３と出湯管１１０内の湯水を混合して調節する風呂混合弁１１３と、給水管１０２に市水を流入させるか否か栓の開閉で調節する給水栓１１４と、貯湯タンク１０１内の湯水を外部に排水する排水弁１１５と、給湯温度や風呂温度等の各種設定を行うリモコン１１６とを備えている。
【０００３】
このようなヒートポンプ式給湯機の設置時、貯湯タンクユニット１０２とヒートポンプユニット１０４の間を接続する配管口から水漏れが発生しないか試運転を行って確認する必要がある。その手順として、まず図１４で示されるように、逃し弁１０９を開放し、給湯混合弁１１１及び風呂混合弁１１２の給湯バイパス管１１１側を閉止してから給水栓１１３を開放して、給水管１０３へ市水を流入させ貯湯タンク１０１が満水になるまで給水する。
【０００４】
そして図１５で示されるように、逃し弁１０９から給水が溢れたら貯湯タンク１０１が満水だとして逃し弁１０９を閉止し、ユニット間の配管から水漏れがないか確認する。もし、水漏れの発生が確認されれば、給水した水を一度全て排水してから水漏れが発生している箇所の配管を外して修理し、修理作業完了後に再び貯湯タンク１０１が満水になるまで給水して水漏れがないか確認する必要があった。
【先行技術文献】
【特許文献】
【０００５】
【特許文献１】特許第４２９４６０５号公報
【発明の概要】
【発明が解決しようとする課題】
【０００６】
しかし、この従来のものでは、配管口からの水漏れがないか確認するために貯湯タンク１０１内を満水にした後、水漏れが発生していれば貯湯タンク１０１内の水を一度全て排水して、水漏れが発生している配管を修理してから再び貯湯タンク１０１内を満水にする必要があり、大量の湯水を貯湯する貯湯タンク内を満水にして排水するため、水漏れの確認作業に膨大な時間が必要だった。
【０００７】
また、配管からの水漏れが発生していた場合、大量の給湯使用可能な水を利用せずに排水していたので無駄が多かった。
【課題を解決するための手段】
【０００８】
上記課題を解決するために、本発明の請求項１では、湯水を貯湯する貯湯タンクと、前記貯湯タンク内の湯水を加熱するヒートポンプユニットと、前記貯湯タンク内へ市水を給水する給水管と、前記貯湯タンク下部と前記ヒートポンプユニットを配管で接続するヒーポン往き管と、前記ヒートポンプユニットと前記貯湯タンク上部を配管で接続するヒーポン戻り管と、前記給水管から分岐し前記ヒーポン戻り管途中に連通されたバイパス管と、前記ヒーポン戻り管途中の前記バイパス管との連通箇所に設置され湯水の流路を前記ヒーポン戻り管と前記バイパス管方向とに切り替える切替弁と、前記給水管の前記バイパス管分岐部分よりも下流側に位置し前記給水管から前記貯湯タンク内へ給水する流路を遮断し前記給水管を前記ヒーポン往き管に連通させる流路切替手段とを備えたものである。
【０００９】
また、請求項２では、前記貯湯タンクの試運転時に、試運転動作指示を検知したら前記流路切替手段によって前記給水管と前記ヒーポン往き管とを連通させ、給水が前記給水管、前記ヒーポン往き管、前記ヒーポン戻り管を流通して前記貯湯タンク内に流入する流路を形成し、その後に、再度前記試運転動作指示を検知したら前記切替弁を前記ヒーポン戻り管と前記バイパス管とを連通させる流路に切り替えるようにしたものである。
【００１０】
また、請求項３では、前記貯湯タンクの試運転時に、試運転動作指示を検知したら前記流路切替手段によって前記給水管と前記ヒーポン往き管とを連通させ、給水が前記給水管、前記ヒーポン往き管、前記ヒーポン戻り管を流通して前記貯湯タンク内に流入する流路を形成し、前記貯湯タンク内への給水開始から一定時間経過したら、前記切替弁を前記ヒーポン戻り管と前記バイパス管とを連通させる流路に切り替えるようにしたものである。
【００１１】
また、請求項４では、試運転動作終了指示を検知したら前記流路切替手段によって前記給水管から前記貯湯タンク内へ連通する流路を形成するようにしたものである。
【００１２】
また、請求項５では、前記流路切替手段を手動の四方弁により構成し、前記貯湯タンクの試運転時に、試運転動作指示を検知したら前記切替弁を前記ヒーポン戻り管とバイパス管とを連通する流路に切り替えるようにしたものである。
【００１３】
また、請求項６では、前記流路切替手段を手動の四方弁により構成し、前記貯湯タンクの試運転時に、試運転動作指示を検知し前記貯湯タンク内への給水を開始したら時間カウントを開始し、一定時間をカウントしたら、前記切替弁を前記ヒーポン戻り管と前記バイパス管とを連通する流路に切り替えるようにしたものである。
【発明の効果】
【００１４】
この発明によれば、貯湯タンクへの給水開始後、短時間でユニット間における配管の水漏れを確認することが可能となり、水漏れが確認された時の排水量を最小限に抑えることができるため、経済的な試運転が可能となる。
【図面の簡単な説明】
【００１５】
【図１】この発明の第１実施形態を示すヒートポンプ式給湯機の概略構成図
【図２】同実施形態の沸き上げ運転時の流路を説明する図
【図３】同実施形態の試運転時の回路を説明する図
【図４】同実施形態の試運転時の流路を説明する図
【図５】同実施形態の試運転時の流路を説明する図
【図６】同実施形態の試運転時の動作を示すフローチャート
【図７】この発明の第２実施形態を示すヒートポンプ式給湯機の概略構成図
【図８】同実施形態の試運転時の回路を説明する図
【図９】同実施形態の試運転時の動作を示すフローチャート
【図１０】この発明の第３実施形態を示すヒートポンプ式給湯機の概略構成図
【図１１】この発明の第４実施形態を示すヒートポンプ式給湯機の概略構成図
【図１２】この発明の第５実施形態を示すヒートポンプ式給湯機の概略構成図
【図１３】従来のヒートポンプ式給湯機の一実施形態を示す概略構成図
【図１４】同実施形態の試運転時の流路を説明する図
【図１５】同実施形態の試運転時の流路を説明する図
【発明を実施するための形態】
【００１６】
次に、この発明を適用した第１実施形態を図１に基づいて説明する。
１は貯湯タンクユニットであり内部に湯水を貯湯する貯湯タンク２、該貯湯タンク２上部に接続された出湯管３、貯湯タンク下部に接続された給水管４、出湯管３からの高温水と給水管４から分岐された給湯バイパス管５からの低温水とを混合する給湯混合弁６及び風呂混合弁７が備えられている。
【００１７】
８は給湯混合弁の下流側に接続され台所や洗面所で使用される湯水が流通する給湯管であり、９は風呂で使用する湯水が流通する風呂給湯管である。
【００１８】
１０はヒートポンプユニットであり、冷媒を高温高圧に圧縮する圧縮機１１、凝縮器としての水冷媒熱交換器１２、冷媒を減圧する膨張弁１３、空気と熱交換することで冷媒を加熱する空気熱交換器１４で構成されたヒートポンプ回路１５と、前記貯湯タンク２下部と水冷媒熱交換器１２を配管で接続するヒーポン往き管１５、水冷媒熱交換器１２と貯湯タンク２上部を配管で接続するヒーポン戻り管１６、ヒーポン往き管１５とヒーポン戻り管１６から成る加熱循環回路１７を介して湯水を搬送する循環ポンプ１、それらの駆動を制御するヒーポン制御部１９とを備えている。
【００１９】
２０はヒーポン戻り管１６途中に備えられた戻し切替弁であり、通常の沸き上げ運転時はヒーポン戻り管１６ａからヒーポン戻り管１６ｂに湯水を流動させ、凍結防止運転時は
貯湯タンク２下部にある給水管４に接続された凍結防止用のバイパス管２１に湯水を流動させるように弁開度を調節する。
【００２０】
２２はマイコン等からなる給湯制御部で、ヒーポン制御部１９を制御して貯湯タンク２の側面に複数設置された貯湯温度サーミスタ２３の情報から加熱循環回路１７による貯湯タンク２の沸き上げや沸き増し、給湯の温度、風呂の湯張りや追い焚き、保温等の制御を行うものである。また、２４は給湯や風呂等の各種設定が可能なリモコンであり、貯湯タンク２内の湯水を高温に沸き上げる沸き上げ開始スイッチ２５、給湯温度を設定する温度設定スイッチ２６、風呂への湯張りを指示する湯張りスイッチ２７、湯張り量を設定する湯張り量設定スイッチ２８、試運転を開始する試運転スイッチ２９を有し、更にドットマトリクス型の蛍光表示管よりなる表示部３０によって使用者が設定状況を目視可能としている。
【００２１】
３１は試運転スイッチ２９を押圧した際に各種制御を行う試運転制御部であり、試運転スイッチ２９が押圧されたか判断する押圧検知手段３２、配管に設置された各種弁の開口方向や開閉の調節等の制御を行う弁開口方向調節手段３３が備えられている。なお、試運転スイッチ２９は試運転制御部３１の基板上に備えられていてもよい。
【００２２】
３４は貯湯タンク２下部にあり給水管４のバイパス管２１分岐部分よりも下流側に位置し給水管４から貯湯タンク２内へ給水する流路を遮断し給水管４をヒーポン往き管１５に連通させる流路切替手段としての電動式の四方弁、３５は貯湯タンク２上部に連通した逃し弁、３６は給水管４に備えられた減圧弁であり、該減圧弁３６より上流には給水栓３７が設けられており、３８は貯湯タンク２底部に接続され排水管３９から湯水を外部に排水する排水弁である。
【００２３】
なお、給水管４は給水栓３７から四方弁３４までの配管を給水管４ａ、四方弁３４から貯湯タンク２までの配管を４ｂとし、ヒーポン往き管１５は貯湯タンク２から四方弁３４までの配管をヒーポン往き管１５ａ、四方弁３４から水冷媒熱交換器１２までの配管を１５ｂとし、ヒーポン戻り管１６は水冷媒熱交換器１２から戻し切替弁２０までの配管をヒーポン戻り管１６ａ、戻し切替弁２０から貯湯タンク２までの配管をヒーポン戻り管１６ｂとする。
【００２４】
次に、第１実施形態における通常の沸き上げ運転時の動作を図２に基づいて説明する。
まず、給水管４ａと給水管４ｂとを連通させ貯湯タンク２内へ給水する流路が形成されるように四方弁３４の弁開口方向を調節する。開口方向が調節された四方弁３４により、ヒーポン往き管１５ａとヒーポン往き管１５ｂが連通して貯湯タンク２内の湯水の沸き上げが可能となり、給湯混合弁６及び風呂混合弁７によって所定温度に調節された湯水が出湯口や浴槽において出湯可能となる。
【００２５】
次に、第１実施形態における試運転の動作を図６のフローチャートに基づいて説明する。
まず、貯湯タンクユニット１内の機器を作動させるために図示しない電源ブレーカをＯＮにしてから、リモコン２４に設置された試運転動作指示としての試運転スイッチ２９が押圧されたか押圧検知手段３２で判断する（Ｓ２０１）。押圧されたと検知したら、図３で示されるように給湯混合弁６及び風呂混合弁７の給湯バイパス管５側を閉止し四方弁３４を給水管４ａからヒーポン往き管１５ｂに給水が流入する流路が形成されるよう弁開口方向調節手段３３によって調節し（Ｓ２０２）、押圧を検知しなければ、該Ｓ２０１の判断を繰り返す。
【００２６】
Ｓ２０２で各弁の開口方向を変化させたら、図４で示されるように逃し弁３５と給水栓３７を手動で開放して給水を開始し、給水管４ａ、四方弁３４、ヒーポン往き管１５ｂ、水冷媒熱交換器１２、ヒーポン戻り管１６ａ、戻し切替弁２０、ヒーポン戻り管１６ｂを順次流通して貯湯タンク２内へ流入するような流路が構成され、給水圧によって配管内部のエア抜きが行われるので、別途水抜き栓や空気抜き栓等を配管に設けエア抜きをする必要がない。
【００２７】
そして、給水開始から一定時間（例えば１分間）経過したとして、作業者が再度試運転スイッチ２９を押圧したか押圧検知手段３２で判断し（Ｓ２０３）、押圧されたと検知したら、弁開口方向調節手段３３が戻し切替弁２０をヒーポン戻り管１６ａからバイパス管２１方向へ給水の流路が切り替わるように調節する（Ｓ２０４）。
【００２８】
Ｓ２０４で切替弁２０の開口方向を変化させると、図５で示されるような閉回路が形成されることでユニット間の配管及び配管の接続口に給水圧が印加されるため、作業者が配管から水漏れが発生していないか目視等の方法で確認可能となる。
【００２９】
そして、水漏れが発生していないことを確認した作業者が試運転スイッチ２９を押圧したか押圧検知手段３２で判断し（Ｓ２０５）、押圧されたと検知したら、弁開口方向調節手段３３がバイパス管２１からヒーポン戻り管１６ｂに給水が流動する流路に切替弁２０の弁開口方向を調節して切り替える（Ｓ２０６）。  
【００３０】
Ｓ２０６で戻し切替弁２０の弁開口方向を調節したら、ヒーポン戻り管１６ｂから貯湯タンク２への給水が再開され、逃し弁３５から水が溢れ出たことを作業者が確認したら、逃し弁３５を閉じて給水の流入を停止させる。
【００３１】
貯湯タンク２の満水を確認して逃し弁３５を閉じた後、作業者が試運転動作終了指示としての試運転スイッチ２９を押圧したか押圧検知手段３２で判断し（Ｓ２０７）、押圧されたことを検知したら、給湯混合弁６及び風呂混合弁７の弁開度を試運転開始前の状態に戻し、四方弁３４を給水管４ａから給水管４ｂに流入する流路が形成されるよう弁開口方向調節手段３３によって調節して（Ｓ２０８）、試運転の動作が終了する。
【００３２】
Ｓ２０４で配管からの水漏れが発生していた場合、作業者は貯湯タンクユニット１の電源ブレーカをＯＦＦにしてから排水弁３８を開放して給水した水を抜き取り、水漏れが発生している配管口の修理作業を実施する。修理作業終了後に、排水弁３８を閉止し電源ブレーカをＯＮにしてから試運転スイッチ２９を押圧する事で、再度Ｓ２０１の判断から行われる。
【００３３】
以上の動作によって、四方弁３４を調節して給水が給水管４ａから直接ヒーポン往き管１５ｂに流入する流路を形成して給水圧によって配管内のエア抜きが行われ、配管途中に別途エア抜き栓を設ける必要が無く、戻し切替弁２０によってヒーポン戻り管１６ａからバイパス管２１へ流路を切り替えてユニット間を接続するヒーポン往き管１５ｂ及びヒーポン戻り管１６ａの配管口に対して均等に給水圧がかかる状態にすることで、貯湯タンク２内を満水にしなくても配管に給水圧をかけることができるため、短時間で水漏れの確認作業が行える。
【００３４】
また、Ｓ２０３で作業者が一定時間経過を判断したら試運転動作指示としての試運転スイッチ２９を押圧して戻し切替弁２０の弁開口方向を変化させているが、給水管４内に給水温度を検知する温度センサや給水流量を検知する流量センサ等を設置して配管内への給水の流入を検知し、給水管４内に給水が流入開始したことを検知した時間をカウントする計測手段を設けて、試運転開始指示としての試運転スイッチ２９の押圧を検知し、かつ給水開始を検知してから一定時間経過したと前記計測手段が判断したら、戻し切替弁２０の弁開口方向をヒーポン戻り管１６ｂからバイパス管２１方向に変更する制御を用いてもよい。
【００３５】
次に、この発明を適用した第２実施形態を図７に基づいて説明する。
本実施形態では四方弁３４を手動で流路を切り替えるものとし、通常の沸き上げ運転時には、作業者が給水管４ａと給水管４ｂ及びヒーポン往き管１５ａとヒーポン往き管１５ｂとが連通するように四方弁３４の開口方向を手動で調節することで、貯湯タンク２内に給水が流入して貯湯され、貯湯タンク２内の湯水をヒートポンプユニット１０によって沸き上げた高温水と低温の給水を給湯混合弁６及び風呂混合弁７で混合して、所定温度に調節した湯水が洗面所等の出湯口や浴槽で使用される。
【００３６】
次に、第２実施形態の試運転時の動作を図９のフローチャートに基づいて説明する。
まず、貯湯タンクユニット１内の機器を作動させるために図示しない電源ブレーカをＯＮにしてから、リモコン２４に設置された試運転動作指示としての試運転スイッチ２９が押圧されたか押圧検知手段３２で判断し（Ｓ３０１）、押圧されたことを検知したら、給湯混合弁６及び風呂混合弁７の給湯バイパス管５側を閉止するよう調節する（Ｓ３０２）。
【００３７】
Ｓ３０２で給湯混合弁６及び風呂混合弁７の弁開口方向を調節したら、作業者が四方弁３４の開口方向を調節して、図８にあるように給水管４ａからヒーポン往き管１５ｂを連通する流路を形成して、流路が形成されたら、逃し弁３５と給水栓３８を開放することで給水が開始する。
【００３８】
そして、給水開始から一定時間（例えば１分間）経過したとして、作業者が再度試運転スイッチ２９を押圧したか押圧検知手段３２で判断し（Ｓ３０３）、押圧されたと検知したら、弁開口方向調節手段３３が戻し切替弁２０をヒーポン戻り管１６ａからバイパス管２１方向へ給水の流路が切り替わるように調節する（Ｓ３０４）。
【００３９】
Ｓ３０４で切替弁２０の開口方向を変化させると、図５で示されるような閉回路が形成されることでユニット間の配管及び配管の接続口に給水圧が印加されるため、作業者が配管から水漏れが発生していないか目視等の方法で確認可能となる。
【００４０】
そして、水漏れが発生していないことを確認した作業者が試運転スイッチ２９を押圧したか押圧検知手段３２で判断し（Ｓ３０５）、押圧されたと検知したら、弁開口方向調節手段３３がバイパス管２１からヒーポン戻り管１６ｂに給水が流動する流路に切替弁２０の弁開口方向を調節して切り替える（Ｓ３０６）。  
【００４１】
Ｓ３０６で戻し切替弁２０の弁開口方向を調節したら、ヒーポン戻り管１６ｂから貯湯タンク２への給水が再開され、逃し弁３５から水が溢れ出たことを作業者が確認したら、逃し弁３５を閉じて給水の流入を停止させる。
【００４２】
貯湯タンク２の満水を確認して逃し弁３５を閉じた後、作業者が試運転動作終了指示としての試運転スイッチ２９を押圧したか押圧検知手段３２で判断し（Ｓ３０７）、押圧されたことを検知したら、給湯混合弁６及び風呂混合弁７の弁開度を試運転開始前の状態に戻すよう弁開口方向調節手段３３によって調節する（Ｓ３０８）。
【００４３】
Ｓ３０８で給湯混合弁６及び風呂混合弁７を元の弁開度に戻したら、作業者が四方弁３４の開口方向を給水管４ａと給水管４ｂとを連通させるように調節して通常の沸き上げ運転が可能な状態にすることで、試運転の動作が終了する。
【００４４】
Ｓ３０４で配管からの水漏れが発生していた場合、作業者は貯湯タンクユニット１の電源ブレーカをＯＦＦにしてから排水弁３８を開放して給水した水を抜き取り、水漏れが発生している配管口の修理作業を実施する。修理作業終了後に、排水弁３８を閉止し電源ブレーカをＯＮにしてから試運転スイッチ２９を押圧する事で、再度Ｓ３０１の判断から行われる。
【００４５】
以上の動作によって、四方弁３５を調節して給水が給水管４ａから直接ヒーポン往き管１５ｂに流入する流路を形成することで、実施形態１と同様に短時間で水漏れの確認作業が行える。
【００４６】
また、Ｓ３０３で作業者が一定時間経過を判断したら試運転動作指示としての試運転スイッチ２９を押圧して戻し切替弁２０の弁開口方向を変化させているが、給水管４内に給水温度を検知する温度センサや給水流量を検知する流量センサ等を設置して配管内への給水の流入を検知し、給水管４内に給水が流入開始したことを検知した時間をカウントする計測手段を設けて、試運転開始指示としての試運転スイッチ２９の押圧を検知し、かつ給水開始を検知してから一定時間経過したと前記計測手段が判断したら、戻し切替弁２０の弁開口方向をヒーポン戻り管１６ｂからバイパス管２１方向に変更する制御を用いてもよい。
【００４７】
次に、この発明を適用した第３実施形態を図１０に基づいて説明する。
本実施形態では第１実施形態で使用されている四方弁３４を廃止し、代わりに３つの二方弁を使用している。それぞれ、給水管４ａと給水管４ｂとの間に接続された第１二方弁４０、給水管４ａとヒーポン往き管１５ｂとの間に接続された第２二方弁４１、ヒーポン往き管１５ａとヒーポン往き管１５ｂとの間に接続された第３二方弁４２であり、各弁を制御することで各運転モードを実行する。
【００４８】
通常の沸き上げ運転の際には、第１二方弁４０及び第３二方弁４２の両端を開放して第２二方弁４１の両端を閉止することで、給水が給水管４ａから給水管４ｂを流通して貯湯タンク２内に流入し、貯湯タンク２内の湯水がヒーポン往き管１５ａからヒーポン往き管１５ｂを流通して沸き上げられる。
【００４９】
また、試運転の際には、第１二方弁４０の給水管４ａ側及び第３二方弁４２のヒーポン往き管１５ａ側をそれぞれ閉止し第２二方弁４１の両端を開放することで給水管４ａとヒーポン往き管１５ｂとが連通し、給水が給水管４ａ、ヒーポン往き管１５ｂ、ヒーポン戻り管１６ａ、ヒーポン戻り管１６ｂを流通して貯湯タンク２内に流入する流路を形成した後に給水を開始して、給水開始から一定時間経過後に戻し切替弁２０の弁開口方向をバイパス管２１にして流路を切り替え、ユニット間の配管口の水漏れ確認作業を行い、該確認作業終了後に戻し切替弁２０を元の開口方向に戻して貯湯タンク２内への給水を再開し、貯湯タンク２内が満水になったら逃し弁３６を閉止して給水の流入を停止させて、第１二方弁４０、第２二方弁４１及び第３二方弁４２の弁開度を試運転開始前の状態に戻す。
【００５０】
次に、この発明を適用した第４実施形態を図１１に基づいて説明する。
本実施形態では第１実施形態で使用されている四方弁３５を廃止し、貯湯タンク２下部に給水管４ａと給水管４ｂとに接続された第４二方弁４３、給水管４ａとヒーポン往き管１５ａとヒーポン往き管１５ｂとに接続され湯水の流路を切り替え可能な第１切替弁４４を備えており、各弁を制御することで各運転モードを実行する。
【００５１】
通常の沸き上げ運転の際には、第４二方弁４３の両端を開放して第１切替弁４４をヒーポン往き管１５ａとヒーポン往き管１５ｂが連通するように開度を調節することで、給水が給水管４ａから給水管４ｂを流通して貯湯タンク２内に流入し、貯湯タンク２内の湯水がヒーポン往き管１５ａからヒーポン往き管１５ｂを流通して沸き上げられる。
【００５２】
また、試運転の際には、第４二方弁４３の給水管４ｂ側を閉止し第１切替弁４４のヒーポン往き管１５ａ側を閉止することで給水管４ａとヒーポン往き管１５ａとが連通し、給水が給水管４ａ、ヒーポン往き管１５ｂ、ヒーポン戻り管１６ａ、ヒーポン戻り管１６ｂを流通して貯湯タンク２内に流入する流路を形成した後に給水を開始して、給水開始から一定時間経過後に戻し切替弁２０の弁開口方向をバイパス管２１にして流路を切り替え、ユニット間の配管口の水漏れ確認作業を行い、該確認作業終了後に戻し切替弁２０を元の開口方向に戻して貯湯タンク２内への給水を再開し、貯湯タンク２内が満水になったら逃し弁３６を閉止して給水の流入を停止させて、第４二方弁４４と第１切替弁４４の弁開度を試運転開始前の状態に戻す。
【００５３】
次に、この発明を適用した第５実施形態を図１２に基づいて説明する。
本実施形態では第１実施形態で使用されている四方弁３５を廃止し、貯湯タンク２下部に給水管４ａと給水管４ｂとヒーポン往き管１５ａとに接続され湯水の流路を切り替え可能な第２切替弁４５と、ヒーポン往き管１５ａとヒーポン往き管１５ｂに接続された第５二方弁４６を備えており、各弁を制御することで各運転モードを実行する。
【００５４】
通常の沸き上げ運転の際には、第２切替弁４５を調節して第５二方弁４６の両端を開放することで、給水が給水管４ａから給水管４ｂを流通して貯湯タンク２内に流入し、貯湯タンク２内の湯水がヒーポン往き管１５ａからヒーポン往き管１５ｂを流通して沸き上げられる。
【００５５】
また、試運転の際には、第２切替弁４５の給水管４ｂ側を閉止し、第５二方弁４６のヒーポン往き管１５ａ側を閉止することで給水管４ａとヒーポン往き管１５ｂとが連通しし、給水が給水管４ａ、ヒーポン往き管１５ｂ、ヒーポン戻り管１６ａ、ヒーポン戻り管１６ｂを流通して貯湯タンク２内に流入する流路を形成した後に給水を開始して、給水開始から一定時間経過後に戻し切替弁２０の弁開口方向をバイパス管２１にして流路を切り替え、ユニット間の配管口の水漏れ確認作業を行い、該確認作業終了後に戻し切替弁２０を元の開口方向に戻して貯湯タンク２内への給水を再開し、貯湯タンク２内が満水になったら逃し弁３６を閉止して給水の流入を停止させて、第２切替弁４５と第５二方弁４６の弁開度を試運転開始前の状態に戻す。
【００５６】
以上のように、貯湯タンク下部にある給水管４ａとヒーポン往き管１５ｂとを連通させるように切替弁や二方弁等の流路切替手段を設置し、戻し切替弁２０の弁開口方向を変化させてバイパス管２１への流路を形成することで、試運転時に貯湯タンクユニット１とヒートポンプユニット１０との間に接続されている配管の水漏れの確認作業を実施する際、貯湯タンク２内を満水にせずとも確認作業が行えるため、試運転に要する作業時間を大幅に短縮し、排水量の削減を可能とした。
【符号の説明】
【００５７】
１    貯湯タンクユニット
２    貯湯タンク
４    給水管
１０    ヒートポンプユニット
１５    ヒーポン往き管
１６    ヒーポン戻り管
２０    戻し切替弁
２１    バイパス管
３４    四方弁
【図１】
0005394300.tif 000002
【図２】
0005394300.tif 000003
【図３】
0005394300.tif 000004
【図４】
0005394300.tif 000005
【図５】
0005394300.tif 000006
【図６】
0005394300.tif 000007
【図７】
0005394300.tif 000008
【図８】
0005394300.tif 000009
【図９】
0005394300.tif 000010
【図１０】
0005394300.tif 000011
【図１１】
0005394300.tif 000012
【図１２】
0005394300.tif 000013
【図１３】
0005394300.tif 000014
【図１４】
0005394300.tif 000015
【図１５】
0005394300.tif 000016